(57)【要約】長手方向ガイド（３）に引出し（２）を連結する掛止器具（１）は、前記引出し（２）の前部（５）および底部（６）の少なくとも一方に固定可能な支持体（４）を備え、掛止器具（１）は、前記長手方向ガイド（３）に対する前記支持体（４）の掛止部材（１３）のための揺動操作レバー（１２）を備え、前記掛止部材（１３）は、掛止位置と掛止解除位置との間を移動可能であり、前記揺動操作レバー（１２）は、手で把持される第１表面領域（１６）および第２表面領域（１７）を備え、前記第１表面領域（１６）および前記第２表面領域（１７）は、互いに横断する方向に沿った手動の第１作動力（Ｆ１）または手動の第２作動力（Ｆ２）を選択的に付与するように構成され、前記第１作動力（Ｆ１）および前記第２作動力（Ｆ２）は、同一の方向に、前記揺動操作レバー（１２）の揺動トルクを生成して、前記掛止部材（１３）を前記掛止解除位置へ移動させる。
2013545566.tif 000002
【特許請求の範囲】
【請求項１】
長手方向ガイド（３）に対する引出し（２）の掛止器具（１）であって、
前記引出し（２）の前部（５）および底部（６）の少なくとも一方に固定可能な支持体（４）と、
前記長手方向ガイド（３）に対する前記支持体（４）の掛止位置および掛止解除位置の間を移動可能な掛止部材（１３）とを備え、
前記支持体（４）は、前記掛止部材（１３）のための揺動操作レバー（１２）を備える掛止器具（１）において、
前記揺動操作レバー（１２）は、手で把持される第１表面領域（１６）および第２表面領域（１７）を備え、前記第１表面領域（１６）および前記第２表面領域（１７）は、互いに横断する方向に沿った手動の第１作動力（Ｆ１）または手動の第２作動力（Ｆ２）を選択的に付与するように構成され、前記第１作動力（Ｆ１）および前記第２作動力（Ｆ２）は、同一の方向に、前記揺動操作レバー（１２）の揺動トルクを生成して、前記掛止部材（１３）を前記掛止解除位置へ移動させることを特徴とする長手方向ガイドに対する引出しの掛止器具（１）。
【請求項２】
前記第２表面領域（１７）は、前記第１表面領域（１６）と異なることを特徴とする請求項１に記載の長手方向ガイドに対する引出しの掛止器具（１）。
【請求項３】
前記第１表面領域（１６）および前記第２表面領域（１７）は、前記揺動操作レバー（１２）の角度付き部分（１８）にて互いに連結される側辺に設けられることを特徴とする請求項１又は２に記載の長手方向ガイドに対する引出しの掛止器具（１）。
【請求項４】
前記第１表面領域（１６）は、前記長手方向ガイド（３）の長手方向に対してほぼ垂直に前記第１作動力（Ｆ１）を前記揺動操作レバー（１２）に付加するように構成され、
前記第２表面領域（１７）は、前記長手方向ガイド（３）の長手方向に対してほぼ平行に前記第２作動力（Ｆ２）を前記揺動操作レバー（１２）に付加するように構成されることを特徴とする請求項１乃至３のいずれか一項に記載の長手方向ガイドに対する引出しの掛止器具（１）。
【請求項５】
前記第１表面領域（１６）および前記第２表面領域（１７）は、前記揺動操作レバー（１２）の同一のアーム上に設けられることを特徴とする請求項１乃至４のいずれか一項に記載の長手方向ガイドに対する引出しの掛止器具（１）。
【請求項６】
前記第１表面領域（１６）および前記第２表面領域（１７）は、前記揺動操作レバー（１２）の揺動の支点に対して前記長手方向ガイド（３）と逆側の前記揺動操作レバー（１２）の部分に配置されることを特徴とする請求項１乃至５のいずれか一項に記載の長手方向ガイドに対する引出しの掛止器具（１）。
【請求項７】
前記第１表面領域（１６）は、前記第２表面領域（１７）の側部から延び、該側部は前記支持体（４）に対向していることを特徴とする請求項６に記載の長手方向ガイドに対する引出しの掛止器具（１）。
【請求項８】
前記揺動操作レバー（１２）は、前記支持体（４）に対するヒンジ軸（１９）を備えることを特徴とする請求項１乃至７のいずれか一項に記載の長手方向ガイドに対する引出しの掛止器具（１）。
【請求項９】
前記第１表面領域（１６）は、前記揺動操作レバー（１２）において、前記引出し（２）の前部（５）の方向において、前記揺動操作レバー（１２）のヒンジ軸（１９）に対して前記掛止部材（１３）と逆側に延びることを特徴とする請求項８に記載の長手方向ガイドに対する引出しの掛止器具（１）。
【請求項１０】
前記第２表面領域（１７）は、前記ヒンジ軸（１９）に対して前記長手方向ガイド（３）と逆側において前記揺動操作レバー（１２）上に延びることを特徴とする請求項８又は９に記載の長手方向ガイドに対する引出しの掛止器具（１）。
【請求項１１】
前記掛止部材（１３）は、前記揺動操作レバー（１２）と単一の部品として形成されることを特徴とする請求項８乃至１０のいずれか一項に記載の長手方向ガイドに対する引出しの掛止器具（１）。
【請求項１２】
前記掛止部材（１３）は、前記長手方向ガイド（３）の長手方向に対して垂直に摺動可能に支持されることを特徴とする請求項８乃至１０のいずれか一項に記載の長手方向ガイドに対する引出しの掛止器具（１）。
【請求項１３】
前記揺動操作レバー（１２）および前記支持体（４）は、単一の部品として形成され、該部品は、前記揺動操作レバー（１２）の揺動を可能にする少なくとも１つの弾性付与部分を備えることを特徴とする請求項１乃至８のいずれか一項に記載の長手方向ガイドに対する引出しの掛止器具（１）。
【請求項１４】
前記弾性付与部分は、前記揺動操作レバー（１２）を前記支持体（４）に連結する第１タブ（２１）および少なくとも１つの第２タブ（２２）を備えることを特徴とする請求項１３に記載の長手方向ガイドに対する引出しの掛止器具（１）。
【発明の詳細な説明】
【技術分野】
【０００１】
本発明は、引出し、あるいは家具における別の摺動可能な構成要素を、引出し等のための長手方向ガイドの引抜き可能部分に連結する引出しの掛止器具に関し、特に、引出しの前部を、事前組立て型のガイドの引抜き可能部分に連結する掛止器具に関する。
【背景技術】
【０００２】
家具の分野においては、一般に、家具の内側部に固定される長手方向ガイドの引抜き可能部分の前端部に、引出しの前部および底部の少なくとも一方を連結するために、掛止器具が用いられる。これらの掛止器具は、さらに、必要に応じて、手動の簡単な操作によって、引出しをガイドから迅速に取り外すことを可能にする。
【０００３】
特に、この種の掛止器具は、一般に、引出しの前部および底部の少なくとも一方に固定可能な支持体を備え、この支持体は、歯または可動掛止部材によってガイドの引抜き可能部分の前端部に連結可能であり、歯または可動掛止部材は、ガイドの引抜き可能部分の孔または側部空洞内に係合するように、支持体自体から突出している。
【０００４】
掛止部材をガイドに係合すること、及び係合を解除することの少なくとも一方のために、器具は、揺動操作レバーを備え、これは例えば、支持体によって回転可能に支持された個別要素の形態で実現されるか、掛止部材および支持体自体と共に一体に実現され、引出しの底部の下方に配置されて、掛止部材を掛止位置と掛止解除位置との間で移動させるように手動で作動可能である。
【０００５】
既知の掛止器具の多くは、引出しの側部から作動されるように構成されて配置された操作レバーを備えているが、このような解決策は、レバーを作動させるために引出しの両側に手を配置することが非常に不便となる幅広の引出しを掛止解除するためには非常に不適当である。
【０００６】
また、引出しの前側から作動されるように構成され、配置された操作レバーを有する掛止器具も周知であるが、この解決策は、家具の低い位置に配置された引出しを掛止解除する場合、引出しの前部が床面に近接しすぎて、レバーを作動させるために引出しの前部の下方に手を入れることが妨げられ得るため、非常に不適当である。
【発明の概要】
【発明が解決しようとする課題】
【０００７】
本発明の技術的な目的は、従来技術における欠点を克服するような長手方向ガイドに対する引出しの掛止器具を提供することにある。
この技術的な目的のために、本発明は、主に、上述した種類の掛止器具であって、操作レバーの作動に関して、必要に応じて、引出しの前側からの掛止解除と、引出しの側部からの掛止解除との両方を同時に行うことを可能にする掛止器具を提供する。
【課題を解決するための手段】
【０００８】
本発明のこの目的および他の目的は、長手方向ガイドに対する引出しの掛止器具によって達成され、該掛止器具は、引出しの前部および底部の少なくとも一方に固定可能な支持体を備え、掛止器具は、前記長手方向ガイドに対する前記支持体の掛止部材のための揺動操作レバーを備え、前記掛止部材は、掛止位置および掛止解除位置の間を移動可能であり、前記揺動操作レバーは、手で把持される第１表面領域および第２表面領域を有し、前記第１表面領域および前記第２表面領域は、互いに横断する方向に沿った手動の第１作動力または手動の第２作動力を選択的に付与するように構成され、前記第１作動力および前記第２作動力は、同一の方向に、前記揺動操作レバーの揺動トルクを生成して、前記掛止部材を前記掛止解除位置へ移動させる。
【０００９】
有利には、前記第２表面領域は前記第１表面領域と異なる。
好ましくは、前記第１表面領域および前記第２表面領域は、前記揺動操作レバーの角度付き部分にて互いに連結される側辺に設けられる。
【００１０】
好ましくは、前記第１表面領域は、前記長手方向ガイドの長手方向に対して垂直な方向に前記第１作動力を前記揺動操作レバーに付加するように構成され、前記第２表面領域は、前記長手方向ガイドの長手方向に対してほぼ平行な方向に前記第２作動力を前記揺動操作レバーに付加するように構成される。
【００１１】
好ましくは、前記第１表面領域および前記第２表面領域は、前記揺動操作レバーの同一のアーム上に設けられる。
好ましくは、前記第１表面領域および前記第２表面領域は、前記揺動操作レバーの揺動の支点に対して前記長手方向ガイドと逆側の前記揺動操作レバーの部分に配置される。
【００１２】
好ましくは、前記第１表面領域は、前記第２表面領域の側部から延び、該側部は前記支持体に対向している。
好適な実施形態では、前記揺動操作レバーはヒンジ軸を備え、ヒンジ軸によって前記支持体にヒンジ式に支持される。
【００１３】
この場合、好ましくは、前記第１表面領域は、前記揺動操作レバーにおいて、前記引出しの前部の方向において、前記揺動操作レバーのヒンジ軸に対して掛止部材とは逆側に延びる。
【００１４】
さらに、この場合、好ましくは、前記第２表面領域は、ヒンジ軸に対して長手方向ガイドと逆側において前記揺動操作レバー上に延びる。
さらに、この場合、好ましくは、前記掛止部材は、前記レバーと単一の部品として実現されるか、またはガイドの長手方向に垂直に摺動可能に支持された滑動部を備える。
【００１５】
本発明のさらなる好ましい実現形態において、前記揺動操作レバーおよび前記支持体は、単一の部品として形成され、その部品は、前記揺動操作レバーの揺動を可能にするように構成された少なくとも１つの弾性付与部分を備える。
【００１６】
この場合、前記弾性付与部分は、前記支持体に対する前記レバーの第１連結タブおよび少なくとも１つの第２連結タブを備える。
以下、前述したことを、添付図面に基づいて本発明のいくつかの好ましい実施形態を参照しながら説明する。
【図面の簡単な説明】
【００１７】
【図１】引出しおよび長手方向ガイドが組み立てられた状態を示す本発明の第１実施形態による掛止器具の底面図である。
【図２】図１の掛止器具の斜視図である。
【図３】引出しおよび長手方向ガイドが組み立てられた状態を示す本発明の第２実施形態による掛止器具の底面図である。
【図４】図３の掛止器具の斜視図である。
【図５】引出しおよび長手方向ガイドが組み立てられた状態を示す本発明の第３実施形態による掛止器具の底面図である。
【発明を実施するための形態】
【００１８】
本発明の様々な好適な実施形態において同等な部分は、同じ参照番号を用いて示す。
図面を参照すると、引出し２を収容する家具の側壁の内側面に固定された長手方向ガイド３の引抜き可能部分１４に対して引出し２を掛止する掛止器具１が示されている。
【００１９】
掛止器具１は、引出し２の前部５と引出し２の肩部６とにより画定される角部において、引出しの底部の外面に配置された支持体４を備える。
支持体４は、平坦な底面を有し、その底面で引出し２の平坦な底部に接触して配置され、支持体４はさらに、引出し２の前部５に当接する平坦な側面８と、前記平坦な側面８に直交し、かつ引出し２の肩部６に当接する平坦な側面９とを有し、さらに、ねじ（図示せず）によって支持体４を引出し２の前部５および底部に固定するための孔１０および孔１１の少なくとも一方を有する。さらに、支持体４には、ガイド３へ向かう支持体４の掛止部材１３のための揺動操作レバー１２が設けられている。
【００２０】
レバー１２の揺動平面は、支持体４の平坦な底面に対して平行であり、ひいては引出し２の底部に対して平行な平面である。
掛止部材１３は、ガイド３の引抜き可能部分１４に対する引出し２の掛止位置（掛止部材１３が、ガイド３の引抜き可能部分１４に設けられた座部１５に係合する位置）と、掛止解除位置（掛止部材１３が座部１５から係合解除される位置）との間で移動可能である。
【００２１】
レバー１２は、有利には、手で把持するための第１表面領域１６を有し、そこに、レバー１２の第１作動力Ｆ１を決定する牽引力を使用者が片手の指で付加でき、また、レバー１２は、手で把持するための第２表面領域１７を有し、そこに、レバー１２の第２作動力Ｆ２を決定する牽引力を使用者が片手の指で付加できる。
【００２２】
当然、レバー１２は、第１作動力Ｆ１または第２作動力Ｆ２を選択的に付加することができる。
レバー１２の第１表面領域１６および第２表面領域１７は、第１表面領域１６に付加される第１作動力Ｆ１と第２表面領域１７に付加される第２作動力Ｆ２とが互いに横断する方向（Ｔｒａｎｓｖｅｒｓａｌ  ｄｉｒｅｃｔｉｏｎ）に作用し、かつ同一方向に操作レバー１２の揺動トルクを生成するように構成され、このトルクが掛止部材１３を掛止解除位置へ移動させる。
【００２３】
より正確には、第１表面領域１６は、第１作動力Ｆ１をガイド３の長手方向に対してほぼ垂直な方向でレバー１２に付加するように構成され、第２表面領域１７は、第２作動力Ｆ２をガイド３の長手方向に対してほぼ平行な方向でレバー１２に付加するように構成される。
【００２４】
第１表面領域１６と第２表面領域１７とは互いに異なるが、レバー１２の同一のアーム上に設けられ、特に、レバー１２の角度付き部分１８にて互いに連結される側辺上に設けられる。
【００２５】
レバー１２上において第１表面領域１６および第２表面領域１７が配置される部分は、レバー１２の揺動の支点に対してガイド３と逆側の部分である。
次に、図１および図２の実施形態をより詳細に説明する。この場合、レバー１２の揺動の支点はヒンジ軸によって構成され、そのヒンジ軸でレバー１２が支持体４に支持される。
【００２６】
レバー１２は、掛止部材１３を掛止位置に自動的に復帰させる弾性要素２５に抗して、掛止部材１３を掛止解除位置に移動する方向に揺動可能である。
弾性要素２５は、レバー１２に固定して拘束された端部と、支持体４の壁部に接触して配置される端部とを有する可撓性の板バネを備える。板バネは、支持体４の凹部２６内で作動可能であり、第２表面領域１７から長手方向に沿って掛止部材１３に向けて、かつ掛止部材１３の後方へ突出している。
【００２７】
第１表面領域１６は、第２表面領域１７の側部から延び、該側部は、引出し２に接触して横方向に配置される支持体４の部分に対向する。
特に、第１表面領域１６は、レバー１２において、引出し２の前部５の方向において、レバー１２のヒンジ軸１９に対して掛止部材１３と逆側に延在しており、第２表面領域１７は、レバー１２において、レバー１２のヒンジ軸１９に対して長手方向ガイド３と逆側に延在している。
【００２８】
掛止部材１３は、レバー１２と単一の部品として実現される。
引出し２の側部においてのみレバー１２に手が届きやすい状況では、使用者は、ガイド３に対して垂直な方向に作動力Ｆ１を生成するように、手の指で第１表面領域１６を押圧して牽引力を付加し、それにより、レバー１２は軸１９の周りに揺動して、掛止部材１３を掛止位置から掛止解除位置まで移動するように構成されている。
【００２９】
また、引出し２の前側からのみレバー１２に手が届きやすい状況では、使用者は、ガイド３に対して平行な方向に作動力Ｆ２を生成するように、手の指で第２表面領域１７を押圧して牽引力を付加し、それによっても、レバー１２は軸１９の周りに揺動して、掛止部材１３を掛止位置から掛止解除位置まで移動するように構成されている。
【００３０】
次に、図３および図４の実施形態をより詳細に説明する。この実施形態においては、レバー１２と、掛止部材１３と、支持体４とが単一の部品として実現され、この部品は、掛止部材１３を掛止位置から掛止解除位置まで移動するレバー１２の可逆な揺動を可能にするように構成された少なくとも１つの弾性付与部分を備える。
【００３１】
弾性付与部分は、レバー１２の揺動の支点を画定し、レバー１２を支持体４に連結するための第１タブ２１および少なくとも１つの第２タブ２２を備える。
引出し２の側部においてのみレバー１２に手が届きやすい状況では、使用者は、ガイド３に垂直な方向に作動力Ｆ１を生成するように、手の指で第１表面領域１６を押圧して牽引力を付加し、それにより、タブ２１および２２が弾性変形するように構成され、これらのタブ２１および２２は、湾曲するときに、画定された支点の周りでレバー１２を揺動させ、それにより、掛止部材１３を掛止位置から掛止解除位置まで移動する。把持を解放すると、タブ２１および２２は、それらの弾性変形から回復し、レバー１２は自動的に掛止部材１３の掛止位置に復帰する。
【００３２】
また、引出し２の前側からのみレバー１２に手が届きやすい状況では、使用者は、ガイド３に平行な方向に作動力Ｆ２を生成するように、手の指で第２表面領域１７を押圧して牽引力を付加し、それによっても、タブ２１および２２が弾性変形するように構成され、これらのタブ２１および２２は、湾曲するときに、画定された支点の周りでレバー１２を揺動させ、それにより掛止部材１３を掛止位置から掛止解除位置まで移動する。
【００３３】
次に、図５の実施形態をより詳細に説明する。
この実施形態においては、レバー１２の揺動の支点はヒンジ軸１９によって構成され、そのヒンジ軸１９でレバー１２が支持体４に支持される。
【００３４】
この場合、掛止部材１３は、支持体４の底面に対して平行に、かつガイド３の長手方向に対して垂直に摺動可能に支持された滑動部２０を備える。
滑動部２０は、ガイド３に掛止するための前方突出部２３と、支持体４に形成された直線ガイド２７に沿って係合する平行なガイド側面２４、２６と、後壁２８とを有し、後壁２８は、第１表面領域１６および第２表面領域１７が位置する端部とは逆側のレバー１２のアーム３０の端部に動作可能に係合する。
【００３５】
第１表面領域１６は、レバー１２において、引出し２の前部５の方向において、レバー１２のヒンジ軸１９に対して滑動部２０と逆側に延在しており、第２表面領域１７は、レバー１２において、レバー１２のヒンジ軸に対して水平ガイド３と逆側で延在する。
【００３６】
レバー１２は、掛止部材１３を掛止位置に自動的に復帰させる弾性要素２５に抗して、掛止部材１３を掛止解除位置まで移動する方向に揺動可能である。
弾性要素２５は、滑動部２０に固定して拘束された端部を有する可撓性の板バネを備えており、滑動部２０とガイド２７の底部２９との間に介在している。
【００３７】
引出し２の側部においてのみレバー１２に手が届きやすい状況では、使用者は、ガイド３に垂直な方向に作動力Ｆ１を生成するように、手の指で第１表面領域１６を押圧して牽引力を付加し、それにより、レバー１２は軸１９の周りで揺動するように構成されている。揺動により、レバー１２のアーム３０は、滑動部２０が掛止解除位置まで移動するように、滑動部２０を並進移動で牽引し、弾性要素２５は、その位置で、ガイド２７の底部２９に接触して弾性変形することによって負荷を受ける。把持を解放すると、弾性要素が変形から回復し、滑動部２０は自動的に掛止位置に復帰する。
【００３８】
また、引出し２の前側からのみレバー１２に手が届きやすい状況では、使用者は、ガイド３に平行な方向に作動力Ｆ２を生成するように、手の指で第２表面領域１７を押圧して牽引力を付加し、それによっても、レバー１２が軸１９の周りで揺動して、本明細書で上述したように掛止解除を達成するように構成されている。
【００３９】
上述のように、本発明は、特定の要求に応じて、前側からの引出しの掛止解除および側部からの掛止解除の両方を、特に容易に実施可能な掛止器具を提供する。
本明細書において説明された掛止器具には、多くの修正および変形を施すことができ、それらは全て、本発明の権利範囲内に含まれる。さらに、全ての細部は、技術的に均等な要素によって置換されても良い。
【００４０】
実施において用いられる材料および寸法は、必要に応じて、また先端の技術に従って任意のものにすることができる。
【図１】
2013545566.tif 000003
【図２】
2013545566.tif 000004
【図３】
2013545566.tif 000005
【図４】
2013545566.tif 000006
【図５】
2013545566.tif 000007
【国際調査報告】
2013545566.tif 000008
2013545566.tif 000009
2013545566.tif 000010